(57)【特許請求の範囲】
【請求項１】
窓枠に形成されたフィンを利用した開閉装置の取付構造において、
前記取付構造は、長さ方向に伸縮可能な上枠及び下枠と、上枠・下枠間を連結する左右の縦枠と、から四周枠状に組まれた取付用下地枠を有し、
前記上枠及び前記下枠は、窓枠に形成された上下のフィンをそれぞれ受け入れる溝部を備えており、
前記左右の縦枠には、窓枠に形成された左右のフィンにそれぞれ当接する当接部を備えており、前記左右の縦枠は、前記上枠及び前記下枠を伸長させた状態で前記当接部が窓枠の左右のフィンにそれぞれ当接しており、
前記下地枠の左右の縦枠間には、当該縦枠の上下に位置して、開閉装置の全開時に当該開閉装置の開閉体が収納されるケース、開閉装置の全閉時に当該開閉装置の開閉体の下端が当接する底枠が、それぞれ設けられ、前記下地枠の左右の縦枠間で前記ケース及び前記底枠が突っ張ることで、窓枠の左右のフィンに対する前記下地枠の左右の縦枠の当接部の当接状態が維持されている、
開閉装置の取付構造。
【請求項２】
窓枠に形成されたフィンを利用した開閉装置の取付方法において、
前記取付方法は、長さ方向に伸縮可能な上枠及び下枠と、上枠・下枠間を連結する左右の縦枠と、から四周枠状に組まれた取付用下地枠を用いるものであり、
前記下地枠の左右の縦枠間の距離が、窓枠の左右の側枠間の距離より小さい第１寸法と、窓枠の左右の側枠間の距離に略等しい第２寸法と、の間で可変となっており、
前記上枠及び前記下枠は、窓枠に形成された上下のフィンをそれぞれ受け入れる溝部を備えており、
前記左右の縦枠には、窓枠に形成された左右のフィンにそれぞれ当接する当接部を備えており、
前記方法は、
左右の縦枠間の距離が前記第１寸法である前記取付用下地枠を、前記上枠及び前記下枠の前記溝部が窓枠の上下のフィンを受け入れることで、正面から窓枠に仮取付けする工程と、
仮取付状態において、前記上枠及び前記下枠を伸長させて左右の縦枠間の距離を前記第２寸法として、左右の縦枠の当接部を窓枠の左右のフィンに当接させる工程と、
下地枠の左右の縦枠の当接部を窓枠のフィンに当接させた状態で、前記下地枠の左右の縦枠間に、当該縦枠の上下に位置して、開閉装置の全開時に当該開閉装置の開閉体が収納されるケース、開閉装置の全閉時に当該開閉装置の開閉体の下端が当接する底枠を、それぞれ設ける工程と、からなり、前記下地枠の左右の縦枠間で前記ケース及び前記底枠が突っ張ることで、窓枠の左右のフィンに対する前記下地枠の左右の縦枠の当接部の当接状態が維持されている、
開閉装置の取付方法。
【請求項３】
上枠と、下枠と、上枠・下枠間を連結する左右の縦枠と、からなる四周枠状の開閉装置取付用下地枠であって、
前記上枠及び前記下枠は、長さ方向に伸縮可能に構成されており、前記上枠及び前記下枠の伸縮によって、前記左右の縦枠間の距離が、窓枠の左右の側枠間の距離より小さい第１寸法と、窓枠の左右の側枠間の距離に略等しい第２寸法と、の間で可変となっており、
前記上枠及び前記下枠は、窓枠に形成された上下のフィンをそれぞれ受け入れる溝部を備えており、
前記左右の縦枠は、窓枠に形成された左右のフィンにそれぞれ当接する当接部を備えている、
開閉装置取付用下地枠。
【請求項４】
前記上枠及び前記下枠は、
長尺状の本体と、
前記本体の長さ方向両端側にスライド自在に設けた左右のスライド端部と、
からなり、
前記本体及びスライド端部は、共に垂直辺を備えていると共に、両垂直辺間に前記窓枠の上下のフィンを受け入れる前記溝部を形成するように構成されている、
請求項３に記載の開閉装置取付用下地枠。
【請求項５】
請求項３あるいは４に記載された下地枠と、開閉装置と、からなる開閉装置ユニットであって、
前記開閉装置は、開閉装置の全開時に当該開閉装置の開閉体が収納されるケースと、開閉装置の全閉時に当該開閉装置の開閉体の下端が当接する底枠と、を備えており、
前記ケース及び前記底枠は、前記第２寸法と略等しい寸法を備えていると共に、前記下地枠の左右の縦枠間に位置して、当該縦枠に取付可能である、
開閉装置ユニット。
【発明の詳細な説明】
【技術分野】
【０００１】
本発明は、開閉装置の取付に関するものである。開閉装置としては、典型的にはロール網戸が挙げられ、本明細書は、特に、ロール網戸を中心として記載されている。しかしながら、本発明が適用される開閉装置には、ロール網戸に限定されるものではなく、ロールスクリーンや窓シャッターも含まれる。
【背景技術】
【０００２】
窓開口部を開閉する障子の屋外側に、ロール網戸を外付けする場合には、窓サッシの屋外側に形成されている網戸障子を設けるためのフィンを利用してロール網戸の取り付けを行っていた。
【０００３】
しかしながら、従来の取付方法は、ロール網戸用枠を窓サッシの竪枠フィンにハンマー等を用いて強制的に嵌め込む方法を採用しており、取り付けが手間であり、また、当該竪枠フィンに変形が生じてしまうこともあった。
【０００４】
特許文献１には、窓サッシのフィンを利用した類似の取付方法が開示されており、把持部を備えた取付用ステーを用いて、当該把持部を窓サッシのフィンに挟持させることで、網戸用のガイドレールを取り付けている。しかしながら、この方法では、窓サッシの夫々の枠に対応して別々に用意した取付ステーをフィンに挟み込ませて行く必要があり、作業性が良いとは言えないものである。
【特許文献１】特開２００５−１１３５７７号
【発明の開示】
【発明が解決しようとする課題】
【０００５】
本発明は、窓枠に形成されたフィンを利用するものでありながら、既設の窓サッシに加工を施すことなく、かつ、取付作業が簡単な開閉装置の取付構造及び方法を提供することを目的とする。
【課題を解決するための手段】
【０００６】
本発明が採用した技術手段は、窓枠に形成されたフィンを利用した開閉装置の取付構造において、前記取付構造は、長さ方向に伸縮可能な上枠及び下枠と、上枠・下枠間を連結する左右の縦枠と、から四周枠状に組まれた取付用下地枠を有し、前記上枠及び前記下枠は、窓枠に形成された上下のフィンをそれぞれ受け入れる溝部を備えており、前記左右の縦枠には、窓枠に形成された左右のフィンにそれぞれ当接する当接部を備えており、前記左右の縦枠は、前記上枠及び前記下枠を伸長させた状態で前記当接部が窓枠の左右のフィンにそれぞれ当接しており、前記下地枠の左右の縦枠間には、当該縦枠の上下に位置して、開閉装置の全開時に当該開閉装置の開閉体が収納されるケース、開閉装置の全閉時に当該開閉装置の開閉体の下端が当接する底枠が、それぞれ設けられ、前記下地枠の左右の縦枠間で前記ケース及び前記底枠が突っ張ることで、窓枠の左右のフィンに対する前記下地枠の左右の縦枠の当接部の当接状態が維持されている、開閉装置の取付構造、である。
【０００７】
本発明が採用した他の技術手段は、窓枠に形成されたフィンを利用した開閉装置の取付方法において、前記取付方法は、長さ方向に伸縮可能な上枠及び下枠と、上枠・下枠間を連結する左右の縦枠と、から四周枠状に組まれた取付用下地枠を用いるものであり、前記下地枠の左右の縦枠間の距離が、窓枠の左右の側枠間の距離より小さい第１寸法と、窓枠の左右の側枠間の距離に略等しい第２寸法と、の間で可変となっており、前記上枠及び前記下枠は、窓枠に形成された上下のフィンをそれぞれ受け入れる溝部を備えており、前記左右の縦枠には、窓枠に形成された左右のフィンにそれぞれ当接する当接部を備えており、前記方法は、左右の縦枠間の距離が前記第１寸法である前記取付用下地枠を、前記上枠及び前記下枠の前記溝部が窓枠の上下のフィンを受け入れることで、正面から窓枠に仮取付けする工程と、仮取付状態において、前記上枠及び前記下枠を伸長させて左右の縦枠間の距離を前記第２寸法として、左右の縦枠の当接部を窓枠の左右のフィンに当接させる工程と、下地枠の左右の縦枠の当接部を窓枠のフィンに当接させた状態で、前記下地枠の左右の縦枠間に、当該縦枠の上下に位置して、開閉装置の全開時に当該開閉装置の開閉体が収納されるケース、開閉装置の全閉時に当該開閉装置の開閉体の下端が当接する底枠を、それぞれ設ける工程と、からなり、前記下地枠の左右の縦枠間で前記ケース及び前記底枠が突っ張ることで、窓枠の左右のフィンに対する前記下地枠の左右の縦枠の当接部の当接状態が維持されている、開閉装置の取付方法、である。
【０００８】
本発明が採用した他の技術手段は、上枠と、下枠と、上枠・下枠間を連結する左右の縦枠と、からなる四周枠状の開閉装置取付用下地枠であって、前記上枠及び前記下枠は、長さ方向に伸縮可能に構成されており、前記上枠及び前記下枠の伸縮によって、前記左右の縦枠間の距離が、窓枠の左右の側枠間の距離より小さい第１寸法と、窓枠の左右の側枠間の距離に略等しい第２寸法と、の間で可変となっており、前記上枠及び前記下枠は、窓枠に形成された上下のフィンをそれぞれ受け入れる溝部を備えており、前記左右の縦枠は、窓枠に形成された左右のフィンにそれぞれ当接する当接部を備えている、開閉装置取付用下地枠、である。
【０００９】
一つの態様では、本発明に係る取付用下地枠の前記上枠及び前記下枠は、長尺状の本体と、前記本体の長さ方向両端側にスライド自在に設けた左右のスライド端部と、からなり、前記本体及びスライド端部は、共に垂直辺を備えていると共に、両垂直辺間に前記窓枠の上下のフィンを受け入れる前記溝部を形成するように構成されている。また、一つの態様では、本発明に係る取付用下地枠の前記縦枠に形成した当接部は、溝部から構成されている。また、本発明が採用した他の技術手段は、上記取付下地枠と、開閉装置と、からなる開閉装置ユニットであって、前記開閉装置は、開閉装置の全開時に当該開閉装置の開閉体が収納されるケースと、開閉装置の全閉時に当該開閉装置の開閉体の下端が当接する底枠と、を備えており、前記ケース及び前記底枠は、前記第２寸法と略等しい寸法を備えていると共に、前記下地枠の左右の縦枠間に位置して、当該縦枠に取付可能である、開閉装置ユニット、である。
【発明の効果】
【００１０】
本発明によれば、四周枠状に形成された取付用下地枠を、当該下地枠の上下枠を用いて、通常の網戸障子を窓枠に取り付ける要領で仮取り付けすることができ、取付用下地枠の左右の縦枠間に網戸の上ケースと下枠をそれぞれ設けることで、当該下地枠の縦枠を窓枠の縦枠に当接させるだけでよいので、開閉装置の取付時の作業性が良く、また、同様に、取り外しも簡単である。
【００１１】
取付用下地枠と窓枠とは、互いに嵌着させたり、螺子等で止着する必要が無いので、窓枠を傷付けたり、変形させることがなく、開閉装置を取り外した後に、窓枠に傷や変形が残るようなことがない。
【発明を実施するための最良の形態】
【００１２】
本発明の実施形態を図面に基づいて詳細に説明する。図１は、開閉装置として例示する外付けロール網戸の全体正面図であり、網体が部分的に窓開口部の屋外側を閉鎖した状態を示す。図２、図３に示すように、建物開口部に形成された窓枠１には、引き違い構成の窓障子２Ａ，２Ｂが左右方向に移動自在に設けてあり、さらに、屋外側に位置する窓障子２Ａの屋外側には外付けロール網戸が設置されている。尚、本明細書において、「屋外側」、「屋内側」とは、構造における各構成要素の相対的な位置関係を示すものである。
【００１３】
窓枠１は、上枠１０、下枠１１、左右の側枠１２，１３から四周状に形成されており、各枠１０，１１，１２，１３の屋外側には、網戸障子を取り付けるためのフィン１００，１１０，１２０，１３０が形成されている。各フィン１００，１１０，１２０，１３０は、垂直面（見付面）内に延出する垂片である。より具体的には、上枠１０のフィン１００は垂下状の立ち下がり片であり、下枠１１のフィン１１０は垂直状の立ち上がり片であり、左右の縦枠１２，１３のフィン１２０，１３０は、開口幅方向に内側に向かって延出する垂片である。
【００１４】
外付けロール網戸は、取付用下地枠３と、上ケース４と、底枠（水切り板）５と、左右のガイドレール６と、上ケース４内に設けた巻取シャフト７と、巻取シャフト７に巻装されることで上ケース４内に収納可能であり、巻取シャフト７から繰り出されて左右のガイドレール６に案内されながら降下して窓枠の屋外側を閉鎖する網体８と、からなる。外付けロール網戸の全開時において、網体８は上ケース４内に収納されており、外付けロール網戸の全閉時において、網体８の下端の座板部８０は底枠（水切り板）５に当接する。
【００１５】
取付用下地枠３は、上枠３０と、下枠３１と、上枠３０と下枠３１の間を連結する左右の縦枠３２Ａ，３２Ｂと、からなる四周枠である。上枠３０及び下枠３１は長さ方向、すなわち、窓開口部の幅方向に伸縮可能となっている。したがって、上枠３０及び下枠３１が長さ方向に伸縮することで、左右の縦枠３２Ａ，３２Ｂ間の距離が可変となる。より具体的には、取付用下地枠３の上枠３０及び下枠３１の長さは、図７に示す第１寸法Ｌ１と、図８に示す第２寸法Ｌ２との間で可変となっており、第１寸法Ｌ１は、窓枠１の左右の側枠１２，１３間の寸法よりも小さく、第２寸法Ｌ２は、窓枠１の左右の側枠１２，１３間の寸法と略同じである。
【００１６】
図示の態様では、図７に示すように、上枠３０は、上枠本体３００と、上枠３０の長さ方向両端側にスライド自在に設けたスライド端部３０１Ａ，３０１Ｂと、からなり、各スライド端部３０１Ａ，３０１Ｂが、上枠本体３００の長さ方向にスライドすることで、上枠３０の長さが伸縮可能となっている。同様に、下枠３１は、下枠本体３１０と、下枠３１の長さ方向両端側にスライド自在に設けたスライド端部３１１Ａ，３１１Ｂと、からなり、各スライド端部３１１Ａ，３１１Ｂが、下枠本体３１０の長さ方向にスライドすることで、下枠３１の長さが伸縮可能となっている。
【００１７】
図示の態様では、図１０（Ａ）に示すように、上枠本体３００は、垂直辺３０００と水平辺３００１とから断面視Ｌ形状に形成されており、スライド端部３０１Ａ，３０１Ｂも、垂直辺３０１０と水平辺３０１１とから断面視Ｌ形状に形成されている。断面視において、上枠本体３００とスライド端部３０１Ａ，３０１Ｂの立ち上がり状の垂直辺３０００，３０１０は略同じ寸法を備えており、上枠本体３００の水平辺３００１はスライド端部３０１Ａ，３０１Ｂの水平辺３０１１の寸法よりも大きい寸法を備えている。上枠本体３００の水平辺３００１の端部は断面視コ字状（凹状）に形成されており、スライド端部３０１Ａ，３０１Ｂの水平辺３０１１の端部を受け入れるようになっている。スライド端部３０１Ａ，３０１Ｂの水平辺３０１１を、その端部を上枠本体３００の水平辺３００１の凹状端部に近接させて重ね合わせた状態において、垂直辺３０００，３０１０間に窓枠の上枠１０のフィン１００を受け入れる上向き開口状の溝部Ｇ１が形成されている。
【００１８】
上枠本体３００の長さ方向両端部の水平辺３００１には、長さ方向に延びる長溝３００２が形成されており、上枠本体３００の水平片３００１とスライド端部３０１Ａ，３０１Ｂの水平辺３０１１は、長溝３００２に設けられる螺子３３を介して連結されており、長溝３００２に沿って螺子３３の軸部が案内されることで、スライド端部３０１Ａ，３０１Ｂは上枠本体３００に対して長さ方向にスライド可能となっている。下地枠３の上枠３０の溝部Ｇ１は、遊びを持って上枠１０の垂下状のフィン１００を受け入れており、下地枠３の上枠３０の溝部Ｇ１が窓枠の上枠１０のフィン１００を受け入れた状態において、上枠３０のスライド端部３０１Ａ，３０１Ｂが上枠本体３００に対してスライド可能である。また、断面視Ｌ形状のスライド端部３０１Ａ，３０１Ｂの垂直辺３０１０と水平辺３０１１との角部には、側方から螺子３５を受け入れる螺子孔３０１２が形成されている。
【００１９】
下枠３１も、上枠３０と類似の構成を備えている。図１０（Ｂ）に示すように、下枠本体３１０は、垂直辺３１００と水平辺３１０１とから断面視Ｌ形状に形成されており、スライド端部３１１Ａ，３１１Ｂも、垂直辺３１１０と水平辺３１１１とから断面視Ｌ形状に形成されている。断面視において、下枠本体３１０とスライド端部３１１Ａ，３１１Ｂの立ち下がり状（垂下状）の垂直辺３１００，３１１０は略同じ寸法を備えており、下枠本体３１０の水平辺３１０１はスライド端部３１１Ａ，３１１Ｂの水平辺３１１１の寸法よりも大きい寸法を備えている。下枠本体３１０の水平辺３１０１の端部は断面視コ字状（凹状）に形成されており、スライド端部３１１Ａ，３１１Ｂの水平辺３１１１の端部を受け入れるようになっている。スライド端部３１１Ａ，３１１Ｂの水平辺３１１１を、その端部を下枠本体３１０の水平辺３１０１の凹状端部に近接させて重ね合わせた状態において、垂直辺３１００，３１１０間に窓枠の下枠１１のフィン１１０を受け入れる下向き開口状の溝部Ｇ２が形成されている。
【００２０】
下枠本体３１０の長さ方向両端部の水平辺３１０１には、長さ方向に延びる長溝３１０２が形成されており、下枠本体３１０の水平片３１０１とスライド端部３１１Ａ，３１１Ｂの水平辺３１１１は、長溝３１０２に設けられる螺子３４を介して連結されており、長溝３１０２に沿って螺子３４の軸部が案内されることで、スライド端部３１１Ａ，３１１Ｂは下枠本体３１０に対して長さ方向にスライド可能となっている。下地枠３の下枠３１の溝部Ｇ２は、遊びを持って下枠１１の垂下状のフィン１１０を受け入れており、下地枠３の下枠３１の溝部Ｇ２が窓枠の下枠１１のフィン１１０を受け入れた状態において、下枠３１のスライド端部３１１Ａ，３１１Ｂが下枠本体３１０に対してスライド可能である。また、断面視Ｌ形状のスライド端部３１１Ａ，３１１Ｂの垂直辺３１１０と水平辺３１１１との角部には、側方から螺子３５を受け入れる螺子孔３１１２が形成されている。
【００２１】
左右の縦枠３２Ａ，３２Ｂは、ガイドレール６が取り付けられるガイドレール下地材である。図１１には一方の縦枠のみが示してあるが、左右の縦枠３２Ａ，３２Ｂは左右対称の形状を備えており、一方の縦枠の構成の説明に基づいて他方の縦枠の構成が特定されることは、当業者に容易に理解される。図１１に示すように、縦枠３２Ａ，３２Ｂは、見込辺３２０と、見込辺３２０の屋外側端部に形成された見付辺３２１とから概ね断面視Ｌ形状を備えており、見込辺３２０の屋内側端部３２２は断面視コ字状に形成されており、コ字状部から溝部Ｇ３が形成されている。溝部Ｇ３は、窓枠の左右縦枠１２，１３のフィン１２０，１３０との当接部を形成しており、窓枠の左右縦枠１２，１３のフィン１２０，１３０は、それぞれ溝部Ｇ３内に受け入れられて、溝部Ｇ３内に当接するようになっている。窓枠の左右縦枠１２，１３のフィン１２０，１３０は、溝部Ｇ３内に当接していればよく、溝部Ｇ３は遊びを持ってフィン１２０，１３０を受け入れている。
【００２２】
縦枠３２Ａ，３２Ｂは、開口部の高さ方向に延出する長尺材であって、見込辺３２０の上端側には、螺子孔３２００が、下端側には、屋内側に位置して螺子孔３２０２、が形成されており、見込辺３２０の上下端部側には、上枠３０のスライド端部３０１Ａ，３０１Ｂ、下枠３１のスライド端部３１１Ａ，３１１Ｂがそれぞれ螺子３５によって連結されている。さらに、縦枠３２Ａ，３２Ｂの上下端部側には、断面視Ｌ形状の連結補助ピース３２４がリベット３６で固定されている。図９から理解されるように、立ち上がり辺３２４０と、縦枠３２Ａ，３２Ｂの見込辺３２０の屋内側端部３２２と、の間に下枠３１のスライド端部３１１Ａ，３１１Ｂの垂直辺３１１０、上枠３０のスライド端部３０１Ａ，３０１Ｂの垂直辺３０１０が挟まれることで、連結補助ピース３２４の立ち上がり辺３２４０が、螺子３５による連結部（螺子孔３２０２と、螺子孔３０１２，３１１２）における部材同士（縦枠３２Ａ，３２Ｂの見込辺３２０と、上枠３０のスライド端部３０１Ａ，３０１Ｂ、下枠３１のスライド端部３１１Ａ，３１１Ｂ）の回転を規制している。見込辺３２０の上端縁は凹状の係止受部３２３が形成されており、後述する上ケース４の左右側部に形成した係止片４４０を係止可能になっている。さらに、見込辺３２０の上端側には、係止された上ケース４の側面の下方側に位置して螺子孔３２０１が形成されており、見込辺３２０の下端側には、屋外側に位置して螺子孔３２０３が形成されている。見付辺３２１には、螺子孔３２１０が形成されており、螺子３７によってガイドレール６が取り付けられる。
【００２３】
上ケース４は、窓開口部の幅方向に延出する部材であり、内部に巻取シャフト７、巻取シャフト７に巻装された網体８を収納する。図４に示すように、上ケース４は、上面４０、前面４１、屋外側下面４２Ａ、屋内側下面４２Ｂ、後面４３、側面４４Ａ，４４Ｂを備えており、屋外側下面４２Ａ、屋内側下面４２Ｂの間には、窓開口部の幅方向に伸びる開口溝４２０が形成されており、網体８は開口溝４２０を通って上下動する。図４に示す態様では、上ケース４は、上面４０、屋内側の立ち上がり片４０Ａ、屋外側の垂下片４０Ｂからなる板材と、前面４１と屋外側下面４２Ａとからなる断面視Ｌ形状の板材と、屋内側下面４２Ｂと、後面４３と、からなる板材と、の３つの板材を備えている。側面４４Ａ，４４Ｂの内側には、左右端部のブラケット４５が設けてあり、ブラケット４５間に巻取シャフト７が回転可能に軸支されている。上ケース４の後側の上半部は、側面視凹状に形成されており、後面４３、側面４４Ａ，４４Ｂは、当該凹部４３０を形成するような形状を備えている。
【００２４】
上ケース４の側面４４Ａ，４４Ｂの外側には、上側かつ後方側（凹部４３０の上方）に位置して係止片４４０が形成されている。係止片４４０は、外側に延出する水平片と、下方に延出する垂下片と、からＬ字状に形成されている。下地枠３の縦枠３２Ａ，３２Ｂの見込辺３２０の上端縁に形成された凹状の係止受部３２３に上ケース４の係止片４４０を係止させることで、上ケース４は、左右の縦枠３２Ａ，３２Ｂ間に設けられる。さらに、上ケース４の側面４４Ａ，４４Ｂには、螺子孔４４１が形成されており、上ケース４の側面４４Ａ，４４Ｂと下地枠３の縦枠３２Ａ，３２Ｂの見込辺３２０とを螺子孔３２０１を介して螺子３８で固定する。
【００２５】
図６に示すように、水切り板５は、窓開口部の幅方向に延出する部材であり、屋外側に緩やかに傾斜状に延出する面部５０と、面部５０の屋外側端部から下方に延出する前面部５１と、を備えており、面部５０の幅方向の寸法は、下地枠３の左右の縦枠３２Ａ，３２Ｂを窓枠の縦枠１２，１３に当接させた状態における、下地枠３の左右の縦枠３２Ａ，３２Ｂ間の寸法と略同じである。また、面部５０の幅方向の両端部には、屋内側に位置して切り欠き部５００が形成されており、下地枠３の左右の縦枠３２Ａ，３２Ｂ間に水切り板５を設けた時に、切り欠き部５００が縦枠３２Ａ，３２Ｂのコ字状部３２２（溝部Ｇ３を形成する部位）に当接するようになっている。水切り板５の幅方向左右両端には、面部５０の下面に位置して螺子孔５０１が形成されており、下地枠３の左右の縦枠３２Ａ，３２Ｂと水切り板５とを螺子孔５０１、３２０３を介して螺子３９で固定する。
【００２６】
取付用下地枠３を用いた外付けロール網戸の取付方法について説明する。四周枠状に組まれた取付用下地枠３を、上枠３０及び下枠３１が第１寸法Ｌ１の状態、すなわち、左右の縦枠３２Ａ，３２Ｂ間の距離が、窓枠１の縦枠１２，１３間の距離よりも小さい状態で用意し、左右の縦枠３２Ａ，３２Ｂを両手で掴んで、下地枠３の上枠３０の上枠本体３００とスライド端部３０１Ａ，３０１Ｂの垂直辺３０００，３０１０の間に形成された溝部Ｇ１に、窓枠の上枠１０のフィン１００を、下地枠３の下枠３１の下枠本体３１０とスライド端部３１１Ａ，３１１Ｂの垂直辺３１００，３１１０間に形成された溝部Ｇ２に、窓枠の下枠１１のフィン１１０を、それぞれ受け入れて、取付用下地枠３を窓枠に窓枠の正面から仮取付する。窓枠に対する取付用下地枠３の仮取付は、網戸障子を窓枠の上下のフィン１００，１１０に取り付ける作業と同じ要領で行うことができる。具体的には、取付用下地枠３の左右の縦枠３２Ａ，３２Ｂを持って、取付用下地枠３を少し傾斜姿勢で、溝部Ｇ１が、窓枠の上枠１０のフィン１００を受け入れるようにして上方に持ち上げて、フィン１００が溝部Ｇ１内に深く受け入れられることで、垂直姿勢とし、次いで、取付用下地枠３を下ろして、溝部Ｇ２に、窓枠の下枠１１のフィン１１０を受け入れる、この状態でも、溝部Ｇ１は窓枠の上枠１０のフィン１００を受け入れた状態である。
【００２７】
次いで、スライド端部３０１Ａ，３０１Ｂ、３１１Ａ，３１１Ｂを本体３００，３１０の端部から突出する方向にスライドさせることで、取付用下地枠３の上枠３０、下枠３１を伸長させて行き、上枠３０及び下枠３１を第２寸法Ｌ２の状態として、取付用下地枠３の縦枠３２Ａ，３２Ｂの断面コ字状の溝部Ｇ３に、窓枠の縦枠１２，１３のフィン１２０，１３０を受け入れて当接させる。
【００２８】
下地枠３の左右の縦枠３２Ａ，３２Ｂを窓枠の縦枠１２，１３に当接させた状態で、下地枠３の左右の縦枠３２Ａ，３２Ｂの上端部位において、下地枠３の左右の縦枠３２Ａ，３２Ｂの左右の見込辺３２０間に上ケースを位置させて縦枠３２Ａ，３２Ｂの上端の係止受部３２３に、上ケース４の幅方向両端部の係止片４４０を引っ掛ける。そして、螺子３８を用いて、上ケース４の側面４４Ａ，４４Ｂ（螺子孔４４１）と下地枠３の左右の縦枠３２Ａ，３２Ｂの見込辺３２０（螺子孔３２０１）とを固定する。縦枠３２Ａ，３２Ｂの下端部位において、縦枠３２Ａ，３２Ｂの左右の見込辺３２０間に水切り板５を位置させて、螺子３９を用いて、水切り板５の側部（螺子孔５０１）と下地枠３の左右の縦枠３２Ａ，３２Ｂの見込辺３２０（螺子孔３２０３）とを固定する。そして、螺子３７を用いて、ガイドレール６を左右の縦枠３２Ａ，３２Ｂの見付辺３２１に取り付ける。
【００２９】
上ケース４、水切り板５の開口幅方向の寸法は、上枠３０及び下枠３１の伸長状態の寸法である第２寸法Ｌ２と略同じであり、下地枠３の左右の縦枠３２Ａ，３２Ｂを窓枠の縦枠１２，１３に当接させた状態で、下地枠３の左右の縦枠３２Ａ，３２Ｂの左右の見込辺３２０間に位置させて、上端部位には上ケース４、下端部位には水切り板５を設ける。図３Ａに示すように、取付下地枠３の左右の縦枠３２Ａ，３２Ｂの見込辺３２０のそれぞれの内側には、上端部位において、上ケース４の左右の側面４４Ａ，４４Ｂが当接している。図３Ｂに示すように、取付下地枠３の左右の縦枠３２Ａ，３２Ｂの見込辺３２０のそれぞれの内側には、下端部位において、水切り板５の左右の端部が当接している。したがって、左右の見込辺３２０間で上ケース４及び水切り板５が突っ張ることで、上枠本体３００に対するスライド端部３０１Ａ，３０１Ｂの縮小方向のスライド、下枠本体３１０に対する３１１Ａ，３１１Ｂの縮小方向のスライドが規制され、取付下地枠３の左右の縦枠３２Ａ，３２Ｂと窓枠の縦枠１２，１３との当接状態が維持される。したがって、取付下地枠３の縦枠３２Ａ，３２Ｂを窓枠に直接固定（螺子止め、嵌合等）する必要がなく、取付作業が簡単であると同時に、取付下地枠３に傷を付けたり、変形させたりすることがない。
【産業上の利用可能性】
【００３０】
本発明は、既設の窓枠に設置する外付けロール網戸に用いることができる。
【図面の簡単な説明】
【００３１】
【図１】外付けロール網戸の全体正面図であり、網体が部分的に窓開口部の屋外側を閉鎖した状態を示す。
【図２】外付けロール網戸の縦断面図である。
【図３Ａ】外付けロール網戸の横断面図（上側）である。
【図３Ｂ】外付けロール網戸の横断面図（下側）である。
【図４】外付けロール網戸の上ケース及び網体を示す縦断面図である。
【図５】外付けロール網戸の上ケース及び網体を示す正面図である。
【図６】外付けロール網戸の水切りを示す図である。
【図７】取付用下地枠の正面図および上面図である。
【図８】取付用下地枠の正面図、上面図、下面図である。図７の状態から上枠、下枠が伸長した状態を示している。
【図９】取付用下地枠における縦枠と下枠の連結構造を示す図である。
【図１０】（Ａ）取付用下地枠の上枠を示す図である。（Ｂ）取付用下地枠の下枠を示す図である。
【図１１】取付用下地枠の縦枠を示す図である。
【符号の説明】
【００３２】
１  窓枠
１００，１１０，１２０，１３０  フィン
３  取付用下地枠
３０  上枠
３００  上枠本体
３０１Ａ，３０１Ｂ  スライド端部
３１  下枠
３１０  下枠本体
３１１Ａ，３１１Ｂ  スライド端部
３２Ａ，３２Ｂ  縦枠
４  上ケース
５  水切り
６  ガイドレール
７  巻取シャフト
８  網体
【図１】
0004960905.tif 000002
【図２】
0004960905.tif 000003
【図３Ａ】
0004960905.tif 000004
【図３Ｂ】
0004960905.tif 000005
【図４】
0004960905.tif 000006
【図５】
0004960905.tif 000007
【図６】
0004960905.tif 000008
【図７】
0004960905.tif 000009
【図８】
0004960905.tif 000010
【図９】
0004960905.tif 000011
【図１０】
0004960905.tif 000012
【図１１】
0004960905.tif 000013